(57)【要約】【課題】  ＰＤＬ画像で２色モードを実現するための構成を提案するものである。【解決手段】  画像は、画像のレベル情報に加え、像域により画処理を切り替えるための像域データが付加されていて、この像域情報のうち有彩色／無彩色の情報に割り当てられているビットと、濃度補正用のγテーブルのバンク切り替えを使用することでＹＭＣＫの２色プリントを実現するものであり、まず、２色モードが設定されている場合の出力では、通常の濃度補正のγテーブルに黒出力用のγテーブル（Ｙ＝Ｍ＝Ｃ＝０）と例えば赤出力用のγテーブル（Ｃ＝Ｋ＝０）を演算により求める作成し、次に、アトリビュート設定により有彩色は赤γ出力テーブル、無彩色は黒γテーブルを通るようなバンク切り替えの設定にすることでＹＭＣＫ画像の２色プリントを実現するものである。【選択図】        図１
2006246183.tif 000002
【特許請求の範囲】
【請求項１】
画像データを入力する画像入力手段と、前記入力手段より入力された画像を画像メモリに記憶する画像記憶手段と、前記画像記憶手段により記憶された画像を読み出す画像読み出し手段と、前記画像読み出し手段により読み出された画像に対して画素毎に像域情報を付加する手段像域情報付加手段と、マトリクス演算処理を行いマスキング処理行うマトリクス演算手段と、前記像域情報に応じて画素毎に画像の濃度補正を行うγ処理手段により画像処理を行う画像処理手段と、前記画像処理手段により画像処理された画像を紙などの画像記憶媒体上に記録し出力する手段と、ユーザの指示に基づき、フルカラーモード、２色で出力する２色カラーモードを設定するモード設定手段と、前記２色カラーモードが設定された場合は、マトリクス演算係数及び像域情報に応じたγ処理係数に該２色カラーモードに応じた値を設定することを特徴とする画像処理装置。
【請求項２】
前記像域情報は、有彩色情報と無彩色情報を含むことを特徴とする請求項１に記載の画像処理装置。
【請求項３】
前記マトリクス演算係数は、２色カラーモード時には単色化処理をするための係数を設定することを特徴とする請求項１に記載の画像処理装置。
【請求項４】
前記γ処理部は、少なくとも２つのγ処理部からなり、２色カラーモード時には、２色カラーモードで指定された第１の色及び第２の色に応じた処理係数を設定し、さらに前記像域情報に応じてこの２種のγ処理を切り替えることで２色処理を行うことを特徴とする請求項１に記載の画像処理装置。
【発明の詳細な説明】
【技術分野】
【０００１】
本発明は画像処理を行う画像処理装置に関する。
【背景技術】
【０００２】
近年、フルカラーコピー機が、その低価格化及び高機能化に伴って普及してきている。それに伴いカラーコピーの需要も高まり、モノクロ複写機をベースに、例えば黒色、赤色（以後、黒：Ｂｋ、白：Ｗ、赤：Ｒ、緑：Ｇ、青：Ｂ、藍：Ｃ、紅：Ｍ、黄：Ｙと称する）の２色刷り（後述する図８に２色カラー出力の一例を示す）が行える２色カラーコピー機なども普及しており、４色（Ｃ、Ｍ、Ｙ、Ｂｋ）フルカラーコピーよりもトナー消費量の少ない２色カラーコピーにより、安くカラー画像を手に入れたいという理由から、フルカラー複写機においても２色カラー機能の搭載が求められている。
【０００３】
図８は、２色カラー出力の一例を示したものである。
【０００４】
図８において８０１はフルカラー原稿、８０２は画像入出力装置、８０３はカラー原稿８０１を画像入出力装置８０２で通常のフルカラーコピーを行った際に得ることが出来る出力画像のイメージ、８０４はカラー原稿８０１を画像入出力装置８０２で２色カラー出力を行った際に得ることが出来る出力画像のイメージである。カラー原稿８０１は、様々な色から構成される画像部と、黒の文字から構成される文字部とから構成され、文字部には赤でマーカーが引かれている部分を含んでいる。このカラー原稿をフルカラーコピーで出力すると同じ色味のフルカラーコピーが出力されるが、例えばＲ／Ｂｋの２色コピーで出力されると、黒の文字部はＢｋで、黒以外の画像部と文字部の赤マーカー部はＲで出力される。
【０００５】
従来、２色カラー出力は、特定色の波長成分を透過するようなカラーフィルターを用いＣＣＤイメージセンサで読み取ることで色信号を分離することで２色画像を出力したり、ダイレクトマッピング処理を用いて色をマッピングすることで２色モードを実現していた（例えば、特許文献１参照）。
【特許文献１】特開昭６２−１８５４５６号公報
【発明の開示】
【発明が解決しようとする課題】
【０００６】
しかしながら上記従来例において、以下に示す問題点がある。
【０００７】
例えば、カラーフィルターを用いてＣＣＤで読み取る場合、スキャン画像に対しては有効であるが、コンピュータで作成した画像をプリントするＰＤＬ（ページ記述言語）に対しては２色プリントを行うことができない。また、ダイレクトマッピング等の処理を用いた場合、入力される画像のＲＧＢやＹＭＣＢｋといった色空間ごとに係数を用意する必要があり、従来の処理では必要がないＲＡＭを持たせなければならず回路変更が必要となる。
【０００８】
本発明は、上述の点に鑑みてなされたものであり、フルカラーモードを有する画像処理装置において、特別な構成を付加せずに、従来の画像処理を用いることで２色カラーモードを行うことができる画像処理装置を提供することを目的とする。
【課題を解決するための手段】
【０００９】
以上の点に鑑み、本発明によれば以下の手段を講ずることにより上記不具合を解消するものである。
【００１０】
すなわち、画像データを入力する画像入力手段と、前記入力手段より入力された画像を画像メモリに記憶する画像記憶手段と、前記画像記憶手段により記憶された画像を読み出す画像読み出し手段と、前記画像読み出し手段により読み出された画像に対して画素毎に像域情報を付加する手段像域情報付加手段と、マトリクス演算処理を行いマスキング処理行うマトリクス演算手段と、前記像域情報に応じて画素毎に画像の濃度補正を行うγ処理手段により画像処理を行う画像処理手段と、前記画像処理手段により画像処理された画像を紙などの画像記憶媒体上に記録し出力する手段と、ユーザの指示に基づき、フルカラーモード、２色で出力する２色カラーモードを設定するモード設定手段と、前記２色カラーモードが設定された場合は、マトリクス演算係数及び像域情報に応じたγ処理係数に該２色カラーモードに応じた値を設定することで２色印字を実現するものである。
【発明の効果】
【００１１】
本発明によれば、フルカラーモードを有する画像処理装置において、特別な構成を付加せずに２色カラー出力を行うことができる。
【発明を実施するための最良の形態】
【００１２】
以下本発明の実施例について図面を用いて説明する。なお、本発明はこの実施例に限るものではない。
【実施例１】
【００１３】
図１は、本発明の実施例に関わる画像形成装置１００の全体構成である。
【００１４】
リーダー装置（リーダー部）２００は、原稿画像を光学的に読み取り、画像データに変換する。リーダー部２００は、原稿を読み取るための機能を持つスキャナユニット２１０と、原稿用紙を搬送するための機能を持つ原稿給紙ユニット（ＤＦユニット）２５０とで構成される。ＤＦユニット２５０は、オプションユニットで必ず必要とするものではない。
【００１５】
プリンタ装置（プリンタ部）３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０である。
【００１６】
また、プリンタ部３００には、プリンタ部で出力された記録紙をスタック機能、シフト機能を有する排紙ユニット３３０が接続される。
【００１７】
制御装置（コントローラ部）１１０は、リーダー部２００、プリンタ部３００と電気的に接続され、さらにネットワーク４００を介して、コンピュータ１０１と接続されている。また、制御装置１１０は、リーダー部２００を制御して、原稿の画像データを読み込み、プリンタ部３００を制御して画像データを記録媒体に出力してコピー機能を提供する。
【００１８】
また、リーダー部２００から読み取った画像データを、コードデータに変換し、ネットワーク４００を介してコンピュータへ送信するスキャナ機能、コンピュータからネットワーク４００を介して受信したコードデータを画像データに変換し、プリンタ部３００に出力するプリンタ機能を提供する。
【００１９】
操作部１５０は、制御装置１１０に接続され、液晶タッチパネルで構成され、画像形成装置を操作するためのユーザＩ／Ｆを提供する。
【００２０】
図５は、２色カラー出力時の操作部の例である。
【００２１】
５０１、５０２、５０３、５０４、５０５、５０６はフルカラー画像を任意の２色で出力する際の色味を選択する色味設定キー。５０１はＢｋ＋Ｒで２色カラー出力を行う際に選択する。同様にして、５０２はＢｋ＋Ｇ、５０３はＢｋ＋Ｂ、５０４はＢｋ＋Ｙ、５０５はＢｋ＋Ｍ、５０６はＢｋ＋Ｃで２色カラー出力を行う際に選択する。５０７は選択した色味設定キーを有効にするＯＫキーである。
【００２２】
例えば、オペレータがフルカラー原稿をＢｋとＲの２色カラー出力を行いたい場合には、図示しない標準操作画面上から、２色カラー出力を選択し、Ｂｋ＋Ｒ色味設定キー５０１を選択し、ＯＫキー３０７を押すことにより、２色カラー出力機能及び色味をセットする。
【００２３】
図２はリーダー部２００及びプリンタ部３００及び排紙ユニット３３０の断面図である。
【００２４】
リーダー部の原稿給送ユニット２５０は原稿を先頭順に１枚ずつプラテンガラス２１１上へ搬送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６、及びレンズ２１７によってＣＣＤイメージセンサ（以下ＣＣＤという）２１８へ導かれる。このように、走査された原稿の画像はＣＣＤ２１８によって読み取られる。ＣＣＤ２１８から出力される画像データは、制御装置１１０へ転送される。
【００２５】
プリンタ部３００のレーザドライバ３２１はレーザー発光部３２２を駆動するものであり、制御装置１１０から出力された画像データに応じたレーザー光をレーザー発光部３２２に発光させる。このレーザー光は感光ドラム３２３に照射され、感光ドラム３２３にはレーザー光に応じた潜像が形成される。この感光ドラム３２３の潜像の部分には現像器３２４によって現像剤が付着される。
【００２６】
そして、レーザー光の照射開始と同期したタイミングで、カセット３１１及びカセット３１２のいずれかから記録紙を給紙して転写部３２５へ搬送し、感光ドラム３２３に付着された現像剤を記録紙に転写する。現像剤の乗った記録紙は定着部３２６に搬送され、定着部３２６の熱と圧力により現像剤は記像紙に定着される。定着部３２６を通過した記録紙は排出ローラ３２７によって排出される。排紙ユニット３３０は、排出された記録紙を指定されたトレイにシフト出力することができる。
【００２７】
また、両面記録が設定されている場合は、排出ローラ３２７のところまで記録紙を搬送した後、排出ローラ３２７の回転方向を逆転させ、フラッパ３２８によって再給紙搬送路３２９へ導く。再給紙搬送路３２９へ導かれた記録紙は上述したタイミングで転写部３２５へ給紙される。
【００２８】
＜制御装置の説明＞
制御装置１１０の機能を、図３に示す制御装置のブロック図を基に説明する。
【００２９】
メインコントローラ１１１は、主にＣＰＵ１１２と、バスコントローラ１１３、各種Ｉ／Ｆコントローラ回路とから構成される。
【００３０】
ＣＰＵ１１２とバスコントローラ１１３は制御装置１１０全体の動作を制御するものであり、ＣＰＵ１１２はＲＯＭ１１４からＲＯＭ−Ｉ／Ｆ１１５を経由して読み込んだプログラムに基づいて動作する。
【００３１】
また、コンピュータから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００３２】
ＤＲＡＭ１１６はＤＲＡＭ−Ｉ／Ｆ１１７によってメインコントローラ１１１と接続されており、ＣＰＵ１１２が動作するためのワークエリアや、画像データを蓄積するための画像メモリとして使用される。
【００３３】
Ｉ／Ｏ制御部１２６には、リーダー部２００、プリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路１４０及び１４５に接続されている。
【００３４】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。操作部１５０は液晶表示部と液晶表示部上に張り付けられたタッチパネル入力装置と、複数個のハードキーを有する。タッチパネルまたはハードキーにより入力された信号は前述したパネルＩ／Ｆ１３２を介してＣＰＵ１１２に伝えられ、液晶表示部はパネルＩ／Ｆ１３２から送られてきた画像データを表示するものである。液晶表示部には、本画像形成装置の操作における機能表示や画像データ等を表示する。
【００３５】
Ｅ−ＩＤＥインタフェース１６１は、外部記憶装置を接続するためのものである。このＩ／Ｆを介してハードディスクドライブ１６０が接続され、ハードディスク１６２へ画像データ及び画像データに付属した画像情報を記憶させたり、ハードディスク１６２から画像データを読み込み出力したりすることも可能である。
【００３６】
コネクタ１４２と１４７は、それぞれリーダー部２００とプリンタ部３００とに接続され、同調歩同期シリアルＩ／Ｆ（１４３，１４８）とビデオＩ／Ｆ（１４４，１４９）とから構成される。
【００３７】
スキャナＩ／Ｆ１４０は、コネクタ１４２を介してリーダー部２００と接続され、また、スキャナバス１４１によって入力画像処理ユニット１５０及びメインコントローラ１１１と接続されている。
【００３８】
図７の入力画像処理ユニット１５０のブロック図により、入力区画像処理について説明する。
【００３９】
まず、リーダー部２００のＣＣＤセンサで読み取られたデータは、Ａ／Ｄ変換された後にそれぞれ８ビット出力０〜２５５のＲ（Ｒｅｄ），Ｇ（Ｇｒｅｅｎ），Ｂ（Ｂｌｕｅ）信号として出力され、７０１は入力マスキング回路でＣＣＤセンサからの輝度信号を補正し、標準輝度信号に変換する。次に、７０２のフィルタ部で、出力信号の空間周波数の補正を行うことで、エッジ処理、平滑化処理を行う。次に、７０３のγ補正部では、画像データに対して濃度レベル補正が行われる。最後に、７０４のトリマス部で、スキャン画像の不要な部分に対してトリミング処理が施される。
【００４０】
スキャナバス１４１からＤＲＡＭ１１６へのデータ転送は、バスコントローラ１１３によって制御される。
【００４１】
プリンタＩ／Ｆ１４５は、コネクタ１４７を介してプリンタ部３００と接続され、また、プリンタバス１４６によって出力画像処理ユニット１５１を介してメインコントローラ１１１と接続されており、メインコントローラ１１１から出力された画像データに対して、出力画像処理ユニット１５１で出力用の画像処理が施し、プリンタ部３００へ出力する機能を有し、さらに、プリンタ部３００から送られたビデオ制御信号をもとに生成した制御信号を、プリンタバス１４６に出力する機能も有する。
【００４２】
図４の出力画像処理ユニット１５１のブロック図により、出力区画像処理について説明する。
【００４３】
まず、スキャン画像やＰＤＬ画像が画像メモリから読み出されると、４０１の像域処理部で画素毎に４ビットの像域情報が付加される。図６により画像の像域情報について説明する。
【００４４】
像域情報は、ビット０が黒成分以外を含む有彩色と黒成分のみを含む無彩色の識別ビット、ビット１は文字であるか画像であるかを識別するビット、ビット２は、銀塩写真のような印画紙画像であるか印刷物のような印刷画像であるかを識別するビット、ビット３は入力がＰＤＬであるか、スキャン画像であるかを識別するビットである。
【００４５】
画像処理部で像域情報が付加された画像は、下地処理部で画像の下地レベル補正処理が行われる。次に、色調整部４０２で、操作部から指定された色相調整、彩度調整及び色空間圧縮等の画像処理が施され、次に４０３のＬＯＧ変換部でルックアップテーブルにより輝度→濃度変換が行われ、ＲＧＢの輝度信号はＹＭＣの濃度信号に変換される。
【００４６】
次に出力マスキング部で、マトリクス演算が行われる。
【００４７】
このマトリクス演算式の例を図１０に示す。
【００４８】
図１０（ａ）は、通常カラー出力時のマトリクス演算を示している。通常カラー出力は、ＹＭＣの各色に対して記録材ＹＭＣＢｋの特性に応じた係数が設定され、マトリクス演算することでＹＭＣＢｋ出力される。
【００４９】
また、操作部より２色カラー機能が設定されている場合は、図１０（ｂ）のようにＹＭＣＢｋが全て同じデータの単色信号が出力されるような係数で設定され、マトリクス演算処理が行われる。
【００５０】
次に、γ補正部で指定された濃度に従ってγ処理が行われる。
【００５１】
図９にγ補正部の処理を説明する。
【００５２】
図９（ａ）は、通常カラー出力時のγ処理を示している。γ処理部は、写真処理用のγ補正処理部と文字処理用のγ補正処理部の２バンクからなり、さらにγ補正部は像域データが入力され、像域情報のビット１の情報をアトリビュートデコーダが参照し、画像データのうち写真の像域情報が設定されている画素は写真処理用のγ処理部に、文字の像域情報が設定されている画素は文字処理用のγ処理部に切り替えられる。
【００５３】
また、操作部より２色カラー機能が設定されている場合には、図９（ｂ）のような係数及びアトリビュートデコーダの設定に切り替えられる。
【００５４】
γ処理分の各バンクの係数は、２色カラーのうち黒処理と黒以外（本例ではＣ（シアン））の係数が設定される。黒処理用のγ係数では黒以外の係数が０となるような係数が設定され、黒以外の色が出力されない。また、シアン処理用のγ係数ではシアン以外の係数が０となるような係数が設定され、シアン以外の色は出力されない。
【００５５】
さらに、アトリビュートデコーダの設定は、ビット０の有彩色／無彩色のビットを参照するような設定がされ、有彩色はシアンバンクに、無彩色は黒バンクに切り替えられるよな設定になっており、文字部の無彩色画素は黒出力、画像部の有彩色画素はシアン出力されることで２色カラー出力を実現するものである。
【００５６】
最後に４０６のトリミング部でプリントの印刷可能領域にあわせてトリミング処理が行われる。
【００５７】
出力画像処理された画像データは、プリンタバス１４６、ビデオＩ／Ｆ１４９を経由して、プリンタ部３００へＤＭＡ転送され、プリンタ部３００で用紙に出力される。
【図面の簡単な説明】
【００５８】
【図１】本装置の全体構成を示すブロック図である。
【図２】本発明に係る画像形成装置を示す概略構成図である。
【図３】本装置の制御装置部のブロック図である。
【図４】本装置の出力用の画像処理部を示すブロック図である。
【図５】２色モード設定時の操作部表示の例を示す図である。
【図６】画像の像域情報を示す図である。
【図７】本装置の入力用の画像処理部を示すブロック図である。
【図８】２色カラー出力の例を示す図である。
【図９（ａ）】本装置のγ処理部を示す図である。
【図９（ｂ）】本装置のγ処理部を示す図である。
【図１０】出力マスキング部のマトリクス演算例を示す図である。
【符号の説明】
【００５９】
１００  画像形成装置
１０１  コンピュータ
１１０  制御装置
１５０  操作部
２００  リーダー装置
２１０  スキャナユニット
２５０  原稿給紙ユニット
３００  プリンタ装置
３１０  給紙ユニット
３２０  マーキングユニット
３３０  排紙ユニット
４００  ネットワーク
【図１】
2006246183.tif 000003
【図２】
2006246183.tif 000004
【図３】
2006246183.tif 000005
【図４】
2006246183.tif 000006
【図５】
2006246183.tif 000007
【図７】
2006246183.tif 000008
【図９（ａ）】
2006246183.tif 000009
【図９（ｂ）】
2006246183.tif 000010
【図１０】
2006246183.tif 000011
【図６】
2006246183.tif 000012
【図８】
2006246183.tif 000013